(57)【要約】無線通信システム内の複数の移動端末と１つのノードとの間の通信リンクに関するリンク品質制御の方法で、このノードとこれらの移動端末の少なくとも１つの端末との間の送信用に少なくとも１つのデータブロックを提供する工程（Ｓ０）と、この少なくとも１つのデータブロックをその上に乗せて送信する複数の潜在的なバーストコンステレーションに対する品質測定値を備える少なくとも２つの測定報告を提供する工程（Ｓ１）と、少なくともこれらの測定報告に基づきこの少なくとも１つのデータブロックの各々に対するそれぞれのバーストコンステレーションを合同で選択する工程（Ｓ２）と、少なくともこれらの測定報告に基づきこの各データブロックに対するそれぞれの変調および符号化方式を合同で選択する工程（Ｓ３）。続いて、少なくともこの合同で選択した変調および符号化方式とこの合同で選択したバーストコンステレーションとに基づき、少なくとも１つの利用可能なチャネル上に送信用にバーストをスケジュールする工程（Ｓ４）。
2009526470.tif 000002
【特許請求の範囲】
【請求項１】
無線通信システムにおけるノードと複数の移動端末との間にある通信リンクについてリンク品質を制御する方法であって、
前記ノードと前記複数の移動端末における少なくとも１つの移動端末との間で送信される少なくとも１つのデータブロックを提供するステップと、
前記少なくとも１つのデータブロックを送信するための複数の潜在的なバーストコンステレーションについての品質を表す測定値を含んだ少なくとも２つの測定報告を提供するステップと、
少なくとも前記測定報告に基づいて、前記少なくとも１つのデータブロックのそれぞれに適用されるバーストコンステレーションをジョイント的に選択するステップと、
少なくとも前記測定報告に基づいて、前記少なくとも１つのデータブロックのそれぞれに適用される変調方式と符号化方式とをジョイント的に選択するステップと、
ジョイント的に選択された前記変調方式、前記符号化方式及びバーストコンステレーションに少なくとも基づいて、少なくとも１つの利用可能なチャネル上で送信するための複数のバーストについてスケジューリングするステップと
を含むことを特徴とする方法。
【請求項２】
前記複数の潜在的なバーストコンステレーションは、すべての潜在的なバーストコンステレーションを含むことを特徴とする請求項１に記載の方法。
【請求項３】
前記複数の潜在的なバーストコンステレーションは、すべての潜在的なバーストコンステレーションのうち一部のバーストコンステレーションを含むことを特徴とする請求項１に記載の方法。
【請求項４】
前記ノードは、基地局であることを特徴とする請求項１に記載の方法。
【請求項５】
前記少なくとも１つのデータブロックは、前記少なくとも１つの移動端末へのダウンリンクにおいて送信するために前記基地局において提供されることを特徴とする請求項４に記載の方法。
【請求項６】
前記少なくとも２つの測定報告は、前記少なくとも１つの移動端末のそれぞれによって提供されることを特徴とする請求項５に記載の方法。
【請求項７】
前記少なくとも２つの測定報告は、前記基地局へのアップリンクについて、前記少なくとも１つの移動端末によって提供されることを特徴とする請求項４に記載の方法。
【請求項８】
前記少なくとも２つの測定報告は、前記基地局によって提供されることを特徴とする請求項７に記載の方法。
【請求項９】
前記バーストコンステレーションは、時間軸方向と周波数軸方向とにしたがって配置されていることを特徴とする請求項１に記載の方法。
【請求項１０】
前記バーストコンステレーションは、前記少なくとも１つの移動端末についてのサービス条件の品質に基づいて選択されることを特徴とする請求項１に記載の方法。
【請求項１１】
前記複数のバーストは、同一のキャリア上に連続してスケジューリングされることを特徴とする請求項１に記載の方法。
【請求項１２】
前記複数のバーストは、複数のキャリアに対して同時並行かつパラレルにスケジューリングされることを特徴とする請求項１に記載の方法。
【請求項１３】
前記複数のバーストは、パラレルな組と連続した２つのキャリアとにスケジューリングされることを特徴とする請求項１に記載の方法。
【請求項１４】
前記バーストコンステレーションは、さらに、異なる複数のタイムスロットに配置されることを特徴とする請求項９ないし１３のいずれか１項に記載の方法。
【請求項１５】
前記チャネルは、少なくとも２つのチャネルグループに分割されていることを特徴とする請求項１に記載の方法。
【請求項１６】
前記少なくとも２つのチャネルグループは、周波数ホッピングされるチャネルと、周波数ホッピングされないチャネルとを含むことを特徴とする請求項１５に記載の方法。
【請求項１７】
前記データブロックは、選択された前記変調方式と前記符号化方式とに基づいて、周波数ホッピングされるチャネルまたは周波数ホッピングされないチャネルにスケジューリングされることを特徴とする請求項１６に記載の方法。
【請求項１８】
前記データブロックは、選択された前記変調方式と前記符号化方式とに基づいて、周波数ホッピングされるチャネルまたは周波数ホッピングされないチャネルにスケジューリングされるために優先順位が付与されていることを特徴とする請求項１７に記載の方法。
【請求項１９】
前記データブロックは、無線リンク制御ブロックであることを特徴とする請求項１に記載の方法。
【請求項２０】
無線通信システムにおけるノードと複数の移動端末との間にある通信リンクについてリンク品質を制御するシステムであって、
前記ノードと前記複数の移動端末における少なくとも１つの移動端末との間で送信される少なくとも１つのデータブロックを提供する手段と、
前記少なくとも１つのデータブロックを送信するための複数の潜在的なバーストコンステレーションについての品質を表す測定値を含んだ少なくとも２つの測定報告を提供する手段と、
少なくとも前記測定報告に基づいて、前記少なくとも１つのデータブロックのそれぞれに適用されるバーストコンステレーションをジョイント的に選択する手段と、
少なくとも前記測定報告に基づいて、前記少なくとも１つのデータブロックのそれぞれに適用される変調方式と符号化方式とをジョイント的に選択する手段と、
ジョイント的に選択された前記変調方式、前記符号化方式及びバーストコンステレーションに少なくとも基づいて、少なくとも１つの利用可能なチャネル上で送信するための複数のバーストについてスケジューリングする手段と
を含むことを特徴とするシステム。
【請求項２１】
前記少なくとも２つの測定報告を提供する手段は、
前記少なくとも１つのデータブロックを送信するためにスケジューリングされうるすべての潜在的なバーストコンステレーションについての品質の測定値を含む前記少なくとも２つの測定報告を提供するように適合した手段である
ことを特徴とする請求項２０に記載のシステム。
【請求項２２】
前記少なくとも２つの測定報告を提供する手段は、
前記少なくとも１つのデータブロックを送信するためにスケジューリングされうるすべての潜在的なバーストコンステレーションのうち一部のバーストコンステレーションについての品質の測定値を含む前記少なくとも２つの測定報告を提供するように適合した手段である
ことを特徴とする請求項２０に記載のシステム。
【請求項２３】
無線通信システムにおけるノードと複数の移動端末との間にある通信リンクについてリンク品質を制御する装置であって、
前記ノードと前記複数の移動端末における少なくとも１つの移動端末との間で送信される少なくとも１つのデータブロックを提供する手段と、
前記少なくとも１つのデータブロックを送信するための複数の潜在的なバーストコンステレーションについての品質を表す測定値を含んだ少なくとも２つの測定報告を提供する手段と、
少なくとも前記測定報告に基づいて、前記少なくとも１つのデータブロックのそれぞれに適用されるバーストコンステレーションをジョイント的に選択する手段と、
少なくとも前記測定報告に基づいて、前記少なくとも１つのデータブロックのそれぞれに適用される変調方式と符号化方式とをジョイント的に選択する手段と、
ジョイント的に選択された前記変調方式、前記符号化方式及びバーストコンステレーションに少なくとも基づいて、少なくとも１つの利用可能なチャネル上で送信するための複数のバーストについてスケジューリングする手段と
を含むことを特徴とする装置。
【請求項２４】
前記少なくとも２つの測定報告を提供する手段は、
前記少なくとも１つのデータブロックを送信するためにスケジューリングされうるすべての潜在的なバーストコンステレーションについての品質の測定値を含む前記少なくとも２つの測定報告を提供するように適合した手段である
ことを特徴とする請求項２３に記載の装置。
【請求項２５】
前記少なくとも２つの測定報告を提供する手段は、
前記少なくとも１つのデータブロックを送信するためにスケジューリングされうるすべての潜在的なバーストコンステレーションのうち一部のバーストコンステレーションについての品質の測定値を含む前記少なくとも２つの測定報告を提供するように適合した手段である
ことを特徴とする請求項２３に記載の装置。
【請求項２６】
前記装置は、基地局に設けられていることを特徴とする請求項２３に記載の装置。
【請求項２７】
前記ノードは、基地局または基地局制御装置であることを特徴とする請求項２６に記載の装置。
【請求項２８】
無線通信システムにおける基地局であって、
請求項２３に記載の装置を備えている
ことを特徴とする基地局。
【請求項２９】
前記少なくとも２つの測定報告を提供する手段は、
前記少なくとも２つの測定報告を前記複数の移動端末のそれぞれから受信するように構成された手段であり、
前記スケジューリングする手段は、前記基地局から前記複数の移動端末へ送信するためのダウンリンクについてデータブロックをスケジューリングするように構成された手段である
ことを特徴とする請求項２８に記載の基地局。
【請求項３０】
前記少なくとも２つの測定報告を提供する手段は、
前記複数の潜在的なバーストコンステレーションについての品質の測定を実行して、前記少なくとも２つの測定報告を提供するように構成された手段であり、
前記スケジューリングする手段は、
前記複数の移動端末のそれぞれに対して、選択された前記変調方式、前記符号化方式及びバーストコンステレーションにしたがって、前記移動端末から前記基地局へ送信するためのアップリンクについてデータブロックをスケジューリングするよう指示する手段である
ことを特徴とする請求項２８に記載の基地局。
【請求項３１】
無線通信システムにおけるノードと複数の移動端末との間にある通信リンクについてリンク品質を改善するための測定報告を提供する方法であって、
前記複数の移動端末のうちの１つの移動端末と前記ノードとの間で送信されるデータブロックをスケジューリングされる潜在的なバーストコンステレーションについての複数の品質測定値を測定するステップと、
前記移動端末へと送信されるデータブロックを前記測定報告に基づいてバーストへスケジューリングすることを可能ならしめるために、前記複数の品質測定値を少なくとも２つの測定報告に搭載し、該２つの測定報告を前記ノードへ報告するステップと
を含むことを特徴とする方法。
【請求項３２】
前記潜在的なバーストコンステレーションは、すべての潜在的なバーストコンステレーションを含むことを特徴とする請求項３１に記載の方法。
【請求項３３】
前記潜在的なバーストコンステレーションは、すべての潜在的なバーストコンステレーションのうちの一部のバーストコンステレーションを含むことを特徴とする請求項３１に記載の方法。
【請求項３４】
無線通信システムにおけるノードと複数の移動端末との間にある通信リンクについてリンク品質を改善する移動端末であって、
前記ノードからデータブロックを受信するための１つ以上のバーストコンステレーションについての品質の測定を実行する手段と、
前記移動端末へと送信されるデータブロックを前記測定報告に基づいてバーストへスケジューリングすることを可能ならしめるために、前記品質の測定値を少なくとも２つの測定報告に搭載し、該２つの測定報告を前記ノードへ報告する手段と
を含むことを特徴とする移動端末。
【請求項３５】
前記測定を実行する手段は、
すべての潜在的なバーストコンステレーションについて前記品質の測定を実行するように構成された手段である
ことを特徴とする請求項３４に記載の移動端末。
【請求項３６】
前記測定を実行する手段は、
すべての潜在的なバーストコンステレーションのうちの一部のバーストコンステレーションについて前記品質の測定を実行するように構成された手段である
ことを特徴とする請求項３４に記載の移動端末。
【請求項３７】
前記測定報告には、１つ以上のバーストコンステレーションについての複数の品質の測定値が含まれていることを特徴とする請求項３４に記載の移動端末。
【発明の詳細な説明】
【技術分野】
【０００１】
本発明は、一般に無線通信システムにおけるパケットベースのデータ伝送に関し、特にこのような伝送のためのリンク品質制御の改良に関する。
【背景技術】
【０００２】
現今の無線通信システムは、通常、変調および符号化を利用することで、データ伝送信号を伝播キャリア信号に重畳させるかまたは混合する。
【０００３】
ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）システムやＧＰＲＳ（汎用パケット無線サービス、General Packet Radio Service）システムを含むいくつかの通信システムに関しては、利用可能な変調方式および符号化方式の選択範囲は、ＧＭＳＫ(Ｇａｕｓｓｉａｎ  Ｍｉｎｉｍｕｍ  Ｓｈｉｆｔ  Ｋｅｙｉｎｇ）だけである。ＧＭＳＫは、一種の包絡線一定の位相変調方式であり、ビット０またはビット１の送信は、信号の位相の変化で表される。従って、どの送信シンボルも１ビットを表す。
【０００４】
ＧＰＲＳシステムへのＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）技術の導入により、無線通信に利用可能な別の変調方式および符号化方式、すなわち８ＰＳＫ（８位相偏移変調方式、8-state Phase Shift Keying）がもたらされている。８ＰＳＫは、ＧＭＳＫを使用しているＧＰＲＳシステムにおけるチャネル構造、チャネル幅、既存のメカニズムおよび機能性の再使用を可能にする。それにもかかわらず、８ＰＳＫは、ＧＭＳＫで利用可能なビットレートと比較し、タイムスロット当たりでより大きいビットレートを可能にする。８ＰＳＫは、位相変調を使用する線形的な手法であり、３つの連続したビットを１つのシンボルにマッピングする。シンボルレートはＧＭＳＫと同じであるが、今度は各シンボルが１ビットの代わりに３ビットを表し、従って総データ転送速度が３倍に増加する。
【０００５】
前述の８ＰＳＫ方式に加えて、より高次の変調および符号化方式である、１６ＱＡＭが検討されている。これが、採用されれば、さらに多くのＭＣＳ（変調および符号化方式）モードの利用が可能になるだろう。
【０００６】
現在のＥＧＰＲＳ（Ｅｎｈａｎｃｅｄ  ＧＰＲＳ）は、ＧＭＳＫ変調と８ＰＳＫ変調の両方を利用でき、様々な変調および符号化方式（ＭＣＳ）であるＭＣＳ−１〜ＭＣＳ−９を使用し得る。数の小さい４つの符号化方式（ＭＣＳ−１〜ＭＣＳ−４）はＧＭＳＫを使用するのに対して、数の大きい５つ（ＭＣＳ−５〜ＭＣＳ−９）は８ＰＳＫを使用する。これら９つのＭＣＳ−ｓは、異なる誤り訂正を使用し、ひいては、異なる環境条件のもとで使用するように適合している。一般に、良好な無線環境では、積極的な（誤り訂正が少なく、多分ＰＳＫ関連のＭＣＳでもある）符号化方式を速いユーザデータ転送速度を提供するために使用し得るのに対して、悪い無線リンク環境では、誤り訂正が多く（多分ＧＭＳＫ関連のＭＣＳでもある）遅いユーザデータ転送速度の符号化方式が通常使用される。
【０００７】
ＥＧＰＲＳシステムは、リンク品質制御（ＬＱＣ、Link Quality control）機能も利用するが、その機能は、たいていリンクアダプテーションと呼ばれる。リンクアダプテーションは、移動端末からの無線リンク品質測定値を使用し、移動端末への以降のデータパケットまたはデータブロックの送信に最適な変調および符号化方式を選択する。移動端末からのこのような測定報告は、通常、最後の測定報告以降に使用された変調に関するリンク品質測定値だけ、例えばＢＥＰ（ビット誤り確率、Bit Error Probability）などだけを含む。
【０００８】
ＧＳＭ／ＥＤＧＥでは、送信される実際のペイロードまたはデータブロックを備えるＲＬＣ（無線リンク制御、Radio Link Control）ブロックが、符号化方式しだいで２つまたは４つの無線バーストを通じて送信される。ＭＣＳ−１〜７に関しては、ヘッダとＲＬＣブロックの両方が４つのバーストを通じてインターリーブされる。（無線ブロックは、４つのバーストまたはサブブロックを備える）。ＭＣＳ−８〜９に関しては、ヘッダは、無線リンクの４つのバーストのすべてを通じてインターリーブされるが、２つのＲＬＣブロックは、２つのバーストのそれぞれに分離される。
【０００９】
変調および符号化方式が変わると、ダイバーシティ特性も変わる。強固な符号化を有するＭＣＳ（例えば、ＭＣＳ−１およびＭＣＳ−５）は、できるだけダイバーシティを多くすること（例えば、周波数ホッピングを使用すること）で利益を得る。他方で脆弱な符号化を有する符号化方式（例えば、ＭＣＳ−４およびＭＣＳ−９）は、できるだけダイバーシティを少なくすること（例えば、周波数ホッピングを使用しないで、無線ブロック内のバーストをできるだけ相関性があるように試みること）で利益を得る。参考文献［１］［２］。
【非特許文献１】［１］Ｔ．Ｊｏｎｓｓｏｎ他著、“Ｈｉｇｈ  ｃａｐａｃｉｔｙ  ｓｔｒａｔｅｇｉｅｓ  ｆｏｒ  ＧＳＭ／ＥＤＧＥ−Ｆｒｅｑｕｅｎｃｙ  ｈｏｐｐｉｎｇ  ａｎｄ  ＥＤＧＥ  ｐａｃｋｅｔ  ｄａｔａ（ＧＳＭ／ＥＤＧＥの高容量戦略：周波数ホッピングおよびＥＤＧＥパケットデータ）”  Ｉｎ  ｐｒｏｃ．ＩＥＥＥ、Ｎｏｒｄｉｃ  Ｒａｄｉｏ  Ｓｙｍｐｏｓｉｕｍ、２００４年。
【非特許文献２】［２］Ｔ．Ｊｏｎｓｓｏｎ他著、“Ｈｉｇｈ  Ｃａｐａｃｉｔｙ  Ｓｔｒａｔｅｇｉｅｓ  ｆｏｒ  ＧＳＭ／ＥＤＧＥ−Ｉｍｐａｃｔｓ  ｏｎ  Ｄａｔａ  Ｔｒａｆｆｉｃ  Ｐｅｒｆｏｒｍａｎｃｅ（ＧＳＭ／ＥＤＧＥの高容量戦略：データトラヒック性能への影響）”  Ｉｎ  ｐｒｏｃ．ＩＥＥＥ、ＶＴＣ  ２００４年秋。
【発明の開示】
【発明が解決しようとする課題】
【００１０】
通常、ＭＣＳの選択は、前述の測定報告の情報に基づく。これらの報告は、たいてい無線ブロックを通じたバーストビット誤り（ＢＥＲ）の分布（平均および標準偏差）の推定値を有し、通常、各移動端末によって測定され、その移動端末に関連した基地局または基地局制御装置に報告される。
【００１１】
複数のタイムスロットを使用して、特にマルチキャリアも使用する場合、上記に基づきＲＬＣブロックを搭載して送信するためのバーストセット（複数のバーストの組み合わせ／バーストコンステレーション［バースト配置］）を理論的に選択する方法は多く存在する。現在、このバーストセットは１つのキャリア、１つのタイムスロット、および連続する時間に固定されており、このことは、ブロックが必ずしも最も効率的なやり方で送信されないことを意味する。
【００１２】
無線ブロックが固定割り当てのバーストへ事前に割り当てられている場合、例えばスループットなどを最適化する唯一の手法としては、正しいＭＣＳの選択を試みることである。さらに、短い送信時間間隔（送信タイムインターバル：ＴＴＩ）のような他の要件について、動的に取り組むことは全く可能でない。
【００１３】
チャネル符号化に関していえば、一般に、周波数ホッピングは、干渉および周波数のダイバーシティがあるため、復号化能力に好ましい影響を及ぼす。しかし、送信されるデータが高符号化率を有する場合かまたは事実上符号化さえされない場合（ＧＳＭ／ＥＤＧＥのＭＣＳ−４およびＭＣＳ−９の場合）、正しくデータを受信する可能性は、ブロックまたはフレームの全体にわたる良好なリンク品質に依存する。周波数ホッピングには、悪い品質がブロック間またはフレーム間に割り当てられることを伴うので、これらの符号化方式に対しては望ましくない。
【００１４】
それ故に、リンクアダプテーションと関連する最適の変調および符号化方式の選択とを改良する必要がある。
【００１５】
本発明の全般的な目的は、改良リンクアダプテーションを提供することである。
【課題を解決するための手段】
【００１６】
一般的な態様によれば、本発明は、複合リンク品質制御方法を可能にし、そこでは、変調および符号化方式とバーストコンステレーションとが、送信を待つ無線リンク制御（ＲＬＣ）ブロックのグループに対してジョイント的に選択（合同で一緒に選択）される。
【００１７】
特定の態様によれば、本発明は、無線通信システム内の複数の移動端末と１つのノードとの間の通信リンクに関するリンク品質制御方法を備える。これは、ノードと複数の移動端末のうちの少なくとも１つの移動端末との間における送信用のデータブロックを提供し、データブロックをその上に乗せて送信する様々の潜在的なバーストコンステレーションの品質測定値を備える複数の測定報告を提供することにより、得られる。その結果として、本方法は、少なくとも測定報告に基づき各データブロックに対するそれぞれのバーストコンステレーションを合同で選択する工程と、少なくとも測定報告に基づき各データブロックに対するそれぞれの変調および符号化方式を合同で選択する工程とを有する。最後に、各データブロックは、合同で選択したバーストコンステレーションと合同で選択した変調および符号化方式で、送信用にバースト上にスケジュールされる。
【００１８】
別の特定の態様によれば、本発明は、無線通信システム内の複数の移動端末と１つのノードとの間の通信リンクのリンク品質制御のためのシステムを備える。システムは、このノードとこれらの複数の移動端末の少なくとも１つとの間の送信用のデータブロックを提供するユニットを備え、このユニットは、送信用にその上にデータブロックをスケジュールする潜在的なバーストコンステレーションの品質に関する少なくとも２つの測定報告を提供する。また、装置は、少なくとも提供された測定報告に基づきデータブロック用のそれぞれのバーストコンステレーションを合同で選択するユニットと、少なくとも測定報告に基づきデータブロック用のそれぞれの変調および符号化方式を合同で選択するユニットとを備える。最後に、装置は、合同で選択した変調および符号化方式と合同で選択したバーストコンステレーションとに少なくとも基づき、少なくとも１つの利用可能なチャネル選択肢で送信用にバースト上にデータブロックをスケジューリングするユニットを備える。
【００１９】
本発明の利点には、以下のものを含む。
・変調および符号化方式とバーストコンステレーションの効率的な選択。
・スループットの増加および遅延の減少。
・ＴＴＩ長の選択に融通性があり、ＴＴＩ長は、コンステレーションと変調および符号化方式とを選択するとき、ＱｏＳプロファイルと組み合わせて、パラメータとして使用してもよい。
【００２０】
本発明は、そのさらなる目的および利点とともに、添付の図面とともに以下の説明を参照することでよく理解できるであろう。
【発明を実施するための最良の形態】
【００２１】
［略語集］
ＢＥＰ  ビット誤り確率(Bit Error Probability)
ＥＤＧＥ  Enhanced Data Rates for GSM Evolution
ＧＭＳＫ  Gaussian Minimum Shift Keying
ＧＰＲＳ  汎用パケット無線サービス(General Packet Radio Service)
ＧＳＭ  Global System for Mobile communication
ＬＱＣ  リンク品質制御(Link Quality Control)
ＭＣＳ  変調および符号化方式(Modulation and Coding Scheme)
ＱｏＳ  サービス品質(Quality of Service)
ＲＬＣ  無線リンク制御(Radio Link Control)
ＴＴＩ  送信時間間隔(Transmission Time Interval)
８ＰＳＫ  ８位相偏移変調(8-state Phase Shift Keying)
すべての図面を通して、同じ参照文字は、対応または類似する要素に対して使用する。
【００２２】
現在の無線通信システムの中では、無線通信リンクで送信されるデータを変調するために、様々な変調および符号化方式または技術を利用する。複数の利用可能な変調および符号化方式がある場合、実際に使用する変調および符号化方式の選択は、通常、通信リンクの無線品質に基づく。本発明は、このような変調および符号化方式の選択の実行に関する。
【００２３】
図１は、無線通信システム１の一部の概略図であり、このシステムに本発明の教示を適用し得る。図１では、図を単純化するために本発明に直接係わるユニットだけを示している。無線通信システム１は、ＥＧＰＲＳシステムまたは他の関連システムであることができよう。
【００２４】
一般に、無線通信システム１は、接続している移動ユニット１００、２００に通信リンクを提供する相当数の基地局（ＢＳ、Base Station）または基地局（ＢＴＳ、Base Transceiver Station）４００、４２０を備える。これらの基地局４００、４２０は、通常、基地局制御装置（ＢＳＣ、Base Station Controller）３００または無線ネットワーク制御装置（ＲＮＣ、Radio Network Controller）に接続され、それによって制御される。次にＢＳＣ３００は、移動ユニット１００、２００および／または基地局４００、４２０からのリンク品質の測定値または推定値に基づき、移動ユニットへの通信リンク４１０に使用する変調および符号化方式を選択する機能またはユニット２００を有する。図では、この変調および符号化方式の選択ユニットは、パケット制御ユニット（ＰＣＵ、Packet Control Unit）２００によって表されるが、それに限定されない。
【００２５】
動作中、各移動ユニット１００、２００は、通常、その関連基地局４００との（ダウンリンク）通信リンクまたはチャネル４１０の信号品質測定またはリンク品質測定を実行する。これらの測定に基づき、リンク品質測定値が、決定または推定される。
【００２６】
本発明は、最も基本的な形態において、移動端末と、ネットワークノードすなわち基地局との間で送信されるデータブロックのグループすなわち無線リンク制御ブロックに対して、バーストコンステレーション（バーストの配置）と変調および符号化方式とを合同で選択して、改良されたリンク品質制御すなわち改良されたリンクアダプテーションを実行する方法および装置を提供する。
【００２７】
従って、図２に示す本発明の一実施形態に関しては、無線リンク制御（ＲＬＣ）ブロックなどの１つまたは複数のデータブロックが、ノードすなわち基地局と1つ以上の移動端末との間の送信用に提供される（Ｓ０）。ＲＬＣブロックはバーストコンステレーションに搭載されて送信されるが、この潜在的なバーストコンステレーションについての品質に関連する測定値を有した少なくとも２つの測定報告が提供される（Ｓ１）。
【００２８】
その結果として、それぞれのバーストコンステレーションと変調および符号化方式とが、少なくとも提供された複数の測定報告に基づき、複数のＲＬＣブロックの各々に対して合同で選択される（Ｓ２、Ｓ３）。
【００２９】
最後に、データブロックは、選択されたバーストコンステレーションと選択された変調および符号化方式に基づき、チャネル上に送信用にスケジュールされる（Ｓ４）。
【００３０】
本方法について、ダウンリンク通信との関連でさらに説明するが、本発明はアップリンク通信にも同等に適用可能である。
【００３１】
同様に図２を参照して、本発明による特定の実施形態では、複数のバーストコンステレーションＢＣに関する前述の測定値を収集し提供する（Ｓ１）複数の移動端末１００、２００の各々を備える。これらの測定値は、システム内の制御ノードすなわち基地局、基地局制御装置または無線ネットワーク制御装置に報告される。すなわち、測定報告を用いて測定値が報告され、Ｓ１で提供される。
【００３２】
その結果として、バーストコンステレーションＢＣと変調および符号化方式ＭＣＳとは、各移動ユニット向けに送信される受信ＲＬＣブロック（Ｓ０）のセットＳ（各移動ユニットから少なくとも１つのＲＬＣブロック）に関して合同で選択される（Ｓ２、Ｓ３）。図の破線の四角形は、前述の一緒の選択をさらに示す。最後に、ＲＬＣブロックは、選択されたバーストコンステレーションＢＣとＭＣＳに従って、１つ以上の利用可能なチャネル上に送信用にスケジュールされる（Ｓ４）。
【００３３】
アップリンク通信の場合に関しては、測定値は、ノードすなわち基地局で収集され提供される（Ｓ１）。その結果として、基地局は、各移動端末が基地局への送信にどのバーストコンステレーションと変調および符号化方式を使用すべきについて、移動端末に対して決定し（Ｓ２、Ｓ３）、各移動端末は、選択されたバーストコンステレーションと変調および符号化方式に従って、送信用にデータブロックをスケジュールする（Ｓ４）。
【００３４】
決定（Ｓ２、Ｓ３）は、特定の実施形態によれば、基地局から各移動端末に通信される命令セットを用いて移動端末に提供される。
【００３５】
潜在的なバーストコンステレーションおよびそれらのそれぞれの利点と欠点について、いくつかの異なる例を以下に説明する。
【００３６】
一実施形態例（図示せず）によれば、潜在的なバーストコンステレーションは、１つの周波数に連続した２つのバーストを備え、別の周波数に連続した他の２つのバーストを備える。従って、各測定報告は、各移動ユーザに対するそのバースト構成のために、例えばＭＥＡＮ＿ＢＥＰ（平均ブロック誤り確率）およびＣＶ＿ＢＥＰ（ブロック誤り確率の変動係数）などのこの種類のバーストコンステレーションに対する測定値を含んでいなければならない。本発明の概念は、次いでこの情報と送信用にスケジュールされる準備が整ったＲＬＣブロックのセット（複数の移動ユーザの各々からの少なくとも１つ）を組み合わせることである。この情報は、特に複数のユーザの中に複数のサービスを利用できるユーザが少なくともいる場合、それぞれのユーザのＱｏＳ要件とも組み合わされてもよい。次いで情報は、利用可能なバーストコンステレーションを通じてＲＬＣブロックのセットを配信するために使用される。
【００３７】
別のＥＧＰＲＳの実施形態は、１つのタイムスロットに４つのキャリア（搬送波）を同時に備えたマルチキャリアコンセプトに関連している。そこでは、種々の潜在的なバーストコンステレーションが図３に示す３つの主要タイプが存在する。これらの異なるバーストコンステレーションは、以下のように説明し得る。
【００３８】
純粋時間ドメイン：（垂直）。これは、現在の規格に一致したバーストコンステレーションを実現する代表的な手法である。データブロック用の４つのバーストのすべては、同じキャリア周波数の同じタイムスロット中に連続して割り当てられる。この例の場合では、選択されたキャリアは、周波数ホッピングされない非ホッピングキャリアであり、それ故、バースト間の品質の差は比較的小さい。このことは、ＭＣＳ−４およびＭＣＳ−９などの強固さの劣るＭＣＳには通常向いている。送信時間間隔（ＴＴＩ）は、この場合一般的な２０ｍｓであろう。
【００３９】
純粋周波数ドメイン：（水平）。これは、非常に短いＴＴＩ（たった５ｍｓ）を作成する手法で、４つのキャリアすべてを使用する手法である。４つのバーストのすべては、４つの利用可能なキャリアに並行して、すなわち時間的に並行して割り当てられる。ダイバーシティ特性は、シングルキャリアの周波数ホッピングに非常に類似するだろう。これは、強固さに関して優れたＭＣＳが使用され、短いＴＴＩが望ましい場合によい選択である。例えば、これは、ＰＳの対話形式タイプサービスのように、遅延に敏感なデータに向いている。
【００４０】
周波数および時間複合ドメイン：（四角）。この例では、４つのバーストは１つの組をなし、２つのキャリアに連続して割り当てられる。この選択肢は、ＭＣＳ−９のような符号化方式に特に有益である。ＭＣＳ−９は、両方ともダイバーシティが少ないことを望む２つのバーストのそれぞれに対してインターリーブされた２つのＲＬＣブロックを有する。この選択は、ブロック当たり２つのバーストが非ホッピングキャリアに配置されるので、２つのブロックの各々に少ないダイバーシティを提供する。さらに、ヘッダは、４つのバーストのすべてが同じキャリアで送信されるわけではないので、より大きなダイバーシティから利益を得る。さらに、このコンステレーションは、１０ｍｓのＴＴＩの選択を提供する。
【００４１】
図４と関連する別の特定の実施形態によれば、バーストコンステレーションおよびＭＣＳの選択は、各移動ユーザ／移動端末およびそのそれぞれのＲＬＣブロックに対するＱｏＳ要件にさらに基づいて実行される。図４によれば、本発明によるマルチブロックＬＱＣの装置に、図の左側に描かれた３つの矢印によって示された、ＱｏＳ要件がそれぞれ異なった３つのＲＬＣブロックが到着する様子が示されている。ほぼ同じ時間に、各移動端末から潜在的なバーストコンステレーションに関するそれぞれの測定報告が、上側に描かれた矢印で示すように装置に到着する。それ故に、装置は、３つのＲＬＣブロックに対して合同で、以下の１つまたはそれらの組み合わせに基づきバーストコンステレーションおよびＭＣＳを選択するように構成される。
・例えば遅延への敏感さなどのＱｏＳ要件。これは、オプションで好ましいＴＴＩ長を示してもよい。
・ダイバーシティ特性。どのＭＣＳが選択されるかに応じて、最高の性能を実現可能するのに必要なダイバーシティ特性は変わり得る。
【００４２】
上記のパラメータに基づき、最善または最適のＭＣＳおよびバーストコンステレーションが、本発明による装置によって各ＲＬＣブロックに対して選択される。
【００４３】
別の特定の実施形態を図５に示す。この事例に関しては、バーストコンステレーションの選択は、異なる複数のタイムスロットにもバーストを割り当てることにより、さらに自由度を与えることができる。それに沿って、図５に示すがそれに限定されない４つのバーストは１組をなし、この例では非ホッピングで、２つのキャリア周波数上でそれぞれ２つの連続したタイムスロットに割り当てられる。それによって、ＴＴＩ長とダイバーシティ特性の別の望ましい組み合わせが可能になる。
【００４４】
別の特定の実施形態によれば、検索するコンステレーション数を減らすために、可能なバーストコンステレーション数は、所定のコンステレーションセットに限定される。これらの潜在的なバーストコンステレーションは、ＴＴＩ長とダイバーシティのオプションとによる異なる組み合わせの十分な集合（セット）を提供するように事前に設定（プリセット）される。その結果として、移動端末は、ヘッダを見つけるために所定のバーストコンステレーションセットしか検索する必要がない。
【００４５】
ＧＳＭ／ＥＤＧＥシステムに関して可能な実施形態の一例として、ＭＣＳ選択は測定したリンク品質に基づくことができ、ブロックは選択したＭＣＳに基づきホッピングチャネルまたは非ホッピングチャネル上に送信用にスケジュールできよう。
【００４６】
また、マルチキャリアとして割り当てられた各周波数は、ホッピング手順にしたがって種々の数の周波数を有する２つ以上のグループに分割できよう。最も簡単な場合では、周波数ホッピングのグループと非ホッピングのグループといった２つのグループがあるだろう。ＭＣＳは、リンク品質制御方式に基づき選択される。ＧＳＭ／ＥＤＧＥの例に関して、選択はＭＣＳ−１〜ＭＣＳ−９の中から行われる。ＭＣＳ−４とＭＣＳ−９の２つは、非符号化方式であり、それ故、例えば非ホッピングチャネルなどのダイバーシティの低いグループで送信されるのが好ましい。それ故、ブロック用に選択したＭＣＳおよびＱｏＳプロファイルに基づきブロックに優先順位を付ける工程を実行することは、オプションで可能である。
【００４７】
本発明によれば、スケジューリング手順は、ＭＣＳ選択に基づいている。すなわち、ホッピングチャネルから利益を得られる符号化方式は、ホッピングチャネルを有する周波数グループにおいて、より高いスケジューリングの優先順位を獲得できるように選択されることになる。逆もまた同様である。
【００４８】
特定の実施形態について、図６を参照して以下に説明する。この場合、４つのキャリアが特定のユーザによって使用される。これらの４つの搬送波周波数のうち、２つはホッピング周波数であり、２つは非ホッピング周波数である。ＭＣＳ−１ブロックは、ダイバーシティから利益を得られるであろう強固な符号化を有し、各バーストは、別々のキャリアで送信される。ＭＣＳ−９ブロックは符号化率１を有し（事実上符号化されていない）、それ故、ダイバーシティから利益を得ない。それ故、ＭＣＳ−９無線ブロックの２つのＲＬＣブロックは、２つの非ホッピングチャネルを通じてパラレル（並行）に送信され、それによって、ダイバーシティの少なさからより高い性能を実現する。
【００４９】
また、ＭＣＳ−１無線ブロックのシングルＲＬＣブロックは周波数当たり１つのバーストで送信され、このようにしてブロックを通じてより大きなダイバーシティを提供する。
【００５０】
本発明では、測定は全部そろったチャネル（マルチキャリア割り当ての利用可能なすべての周波数）で実行され、各ユーザは優先順位リストに従ってスケジュールされる。ここでＭＣＳ−９とＭＣＳ−４は非ホッピングチャネルに置かれることが好ましいのに対して、他のＭＣＳ−ｓはホッピングチャネルを好む。
【００５１】
すべてのＲＬＣブロックが「同時に」すなわち一緒にスケジュールされるので、バーストの割り当て方には制限がある。それ故、例えばそれ以上非ホッピングチャネルをＭＣＳ−４に利用可能でない場合、ホッピングチャネルが使用されなければならず、逆もまた同様である。ある意味では、潜在的なバーストコンステレーションセットは、送信用にスケジュールをされる必要があるＲＬＣブロックの各セットに限定される。
【００５２】
本発明について、マルチキャリアの場合の文脈で説明している。しかし、本発明は、シングルキャリアの場合にも同様に適用可能である。その場合には、バーストのスケジューリングは、スケジューリングの代わりにチャネル再割り当てを用いて実行されなければならない。
【００５３】
本発明の方法の上記実施形態を可能にするために、システムまたは装置について、図７を参照して以下に説明する。
【００５４】
ＬＱＣユニット、すなわちボックスで示される装置１は、装置１に関する入力信号および出力信号を扱う一般入力／出力ユニットＩ／Ｏを有する。さらに、本装置は、複数の移動ユーザのそれぞれに送信されるＲＬＣブロックを提供（生成）するユニット１０を有する。さらに、移動ユーザの各々に関する測定報告を提供（生成）するユニット１１が、装置１に含まれる。少なくとも受信した測定報告に基づき、またオプションで各ユーザに対する特定のＱｏＳ要件に基づき、潜在的なバーストコンステレーションのすべての中から、またはオプションで潜在的なバーストコンステレーションの所定のサブセット（一部）の中から、バーストコンステレーションの選択を実行するユニット１２がさらに含まれる。同様に、適切な変調および符号化方式を選択するユニット１３が用意される。オプションで、２つのユニット１２、１３は、１つのユニットとして構成される。ＭＣＳ選択ユニット１３は、少なくとも測定報告および選択したバーストコンステレーションに基づき、各ＲＬＣブロックおよびユーザに対して適切なＭＣＳを選択するように構成される。最後に、装置１は、選択したバーストコンステレーションおよびＭＣＳに基づき、種々のキャリアまたはチャネル上にバーストをスケジューリングまたは再割り当てするスケジューリングユニット１４を有する。
【００５５】
装置は、基地局制御装置または基地局に配置されてもよいし、システム内の他の機能ノードに配置されてもよい。
【００５６】
前述のダウンリンク送信の事例では、測定報告を提供するユニット１１は、それぞれの移動端末１００、２００からの潜在的なバースト割り当てについての品質測定値または測定報告を受信するように構成される。そのために、移動端末は、測定を実行し、好ましくは測定報告の形態でそれをノードすなわち基地局に報告するように構成される必要がある。
【００５７】
必要な測定値の数およびそれに続くヘッダの検索に影響を及ぼすために、移動端末は、すべての可能な潜在的なバーストコンステレーションに対する測定か、またはオプションですべての潜在的なバーストコンステレーションのサブセットに対する測定を実行するようにさらに構成し得る。サブセットは、データブロックに対するコンステレーションおよびＭＣＳの最適なばらつきを提供するようにプリセットし得る。
【００５８】
前述の移動端末から基地局へのアップリンク送信の事例に関しては、移動端末は、基地局への送信のためのバーストコンステレーションへのデータブロックのスケジュールの仕方についての命令を受信するように構成される。命令は、基地局で複数の潜在的なバーストコンステレーションに対して実行するリンク品質測定から生じる。
【００５９】
本発明による方法の特定の実施形態について、図８を参照して以下に説明する。
【００６０】
最初に、好ましくはオーバラップするバーストコンステレーションセットが基地局用に選択される。すべての移動端末またはユーザ（最終的にはすべての新ユーザ）は、あらゆるバーストコンステレーションに対して最初の変調および符号化方式を割り当てられる。その結果として、最初のＭＣＳを有するバーストコンステレーションは、基地局で送信用に提供される各データブロックに関して合同で選択される。データブロックは、合同で選択したバーストコンステレーションとＭＣＳに従ってスケジュールされ、それぞれの移動端末に送信される。
【００６１】
各受信移動端末は、バーストコンステレーションセットに対する複数の品質評価指標を測定し、少なくとも２つの測定報告の形態でそれらを基地局に報告する。
【００６２】
次の「繰り返し」に関しては、新しいユーザが、前述のように最初のＭＣＳおよび最初のバーストコンステレーションを与えられる。古いユーザへの送信用のデータブロックは、提供された測定報告およびＱｏＳプロファイルに基づき、それぞれのバーストコンステレーションおよびＭＣＳを与えられる。
【００６３】
本発明の利点には、以下のものを含む。
・変調および符号化方式とバーストコンステレーションとの効率的な選択。
・スループットの増加および遅延の減少。
・ＴＴＩ長の選択に融通性があり、ＴＴＩ長は、コンステレーションおよびＭＣＳを選択するとき、ＱｏＳプロファイルと組み合わせて、パラメータとして使用してもよい。
【００６４】
当業者には当然のことながら、添付の特許請求の範囲に規定される本発明の範囲から逸脱することなしに、種々の修正および変更を本発明になし得る。
【図面の簡単な説明】
【００６５】
【図１】本発明を利用し得る無線通信システムの部分図である。
【図２】本発明の一実施形態の概略フローチャートである。
【図３】本発明によるいくつかの潜在的なバーストコンステレーションを示す図である。
【図４】本発明の別の実施形態を示す図である。
【図５】本発明のもう１つの実施形態を示す図である。
【図６】本発明の一実施形態を示す図である。
【図７】本発明の装置を示すブロック図である
【図８】本発明の方法の一実施形態を示す概略フローチャートである。
【図１】
2009526470.tif 000003
【図２】
2009526470.tif 000004
【図３】
2009526470.tif 000005
【図４】
2009526470.tif 000006
【図５】
2009526470.tif 000007
【図６】
2009526470.tif 000008
【図７】
2009526470.tif 000009
【図８】
2009526470.tif 000010
【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
無線通信システムにおけるノードと複数の移動端末との間にある通信リンクについてリンク品質を制御する方法であって、
前記ノードと前記複数の移動端末における少なくとも１つの移動端末との間で送信される少なくとも１つのデータブロックを提供するステップと、
前記少なくとも１つのデータブロックを送信するための複数の潜在的なバーストコンステレーションについての品質を表す測定値を含んだ少なくとも２つの測定報告を提供するステップと、
少なくとも前記測定報告に基づいて、前記少なくとも１つのデータブロックのそれぞれに適用されるバーストコンステレーションをジョイント的に選択するステップと、
少なくとも前記測定報告に基づいて、前記少なくとも１つのデータブロックのそれぞれに適用される変調方式と符号化方式とをジョイント的に選択するステップと、
ジョイント的に選択された前記変調方式、前記符号化方式及びバーストコンステレーションに少なくとも基づいて、少なくとも１つの利用可能なチャネル上で送信するための複数のバーストについてスケジューリングするステップと
を含み、
前記複数の潜在的なバーストコンステレーションは、すべての潜在的なバーストコンステレーションのうちの一部のバーストコンステレーションを含むことを特徴とする方法。
【請求項２】
前記ノードは、基地局であることを特徴とする請求項１に記載の方法。
【請求項３】
前記少なくとも１つのデータブロックは、前記少なくとも１つの移動端末へのダウンリンクにおいて送信するために前記基地局において提供されることを特徴とする請求項２に記載の方法。
【請求項４】
前記少なくとも２つの測定報告は、前記少なくとも１つの移動端末のそれぞれによって提供されることを特徴とする請求項３に記載の方法。
【請求項５】
前記少なくとも２つの測定報告は、前記基地局へのアップリンクについて、前記少なくとも１つの移動端末によって提供されることを特徴とする請求項２に記載の方法。
【請求項６】
前記少なくとも２つの測定報告は、前記基地局によって提供されることを特徴とする請求項５に記載の方法。
【請求項７】
前記バーストコンステレーションは、時間軸方向と周波数軸方向とにしたがって配置されていることを特徴とする請求項１に記載の方法。
【請求項８】
前記バーストコンステレーションは、前記少なくとも１つの移動端末についてのサービス条件の品質に基づいて選択されることを特徴とする請求項１に記載の方法。
【請求項９】
前記複数のバーストは、同一のキャリア上に連続してスケジューリングされることを特徴とする請求項１に記載の方法。
【請求項１０】
前記複数のバーストは、複数のキャリアに対して同時並行かつパラレルにスケジューリングされることを特徴とする請求項１に記載の方法。
【請求項１１】
前記複数のバーストは、パラレルな組と連続した２つのキャリアとにスケジューリングされることを特徴とする請求項１に記載の方法。
【請求項１２】
前記バーストコンステレーションは、さらに、異なる複数のタイムスロットに配置されることを特徴とする請求項７ないし１１のいずれか１項に記載の方法。
【請求項１３】
前記チャネルは、少なくとも２つのチャネルグループに分割されていることを特徴とする請求項１に記載の方法。
【請求項１４】
前記少なくとも２つのチャネルグループは、周波数ホッピングされるチャネルと、周波数ホッピングされないチャネルとを含むことを特徴とする請求項１３に記載の方法。
【請求項１５】
前記データブロックは、選択された前記変調方式と前記符号化方式とに基づいて、周波数ホッピングされるチャネルまたは周波数ホッピングされないチャネルにスケジューリングされることを特徴とする請求項１４に記載の方法。
【請求項１６】
前記データブロックは、選択された前記変調方式と前記符号化方式とに基づいて、周波数ホッピングされるチャネルまたは周波数ホッピングされないチャネルにスケジューリングされるために優先順位が付与されていることを特徴とする請求項１５に記載の方法。
【請求項１７】
前記データブロックは、無線リンク制御ブロックであることを特徴とする請求項１に記載の方法。
【請求項１８】
無線通信システムにおけるノードと複数の移動端末との間にある通信リンクについてリンク品質を制御するシステムであって、
前記ノードと前記複数の移動端末における少なくとも１つの移動端末との間で送信される少なくとも１つのデータブロックを提供する手段と、
前記少なくとも１つのデータブロックを送信するための複数の潜在的なバーストコンステレーションについての品質を表す測定値を含んだ少なくとも２つの測定報告を提供する手段と、
少なくとも前記測定報告に基づいて、前記少なくとも１つのデータブロックのそれぞれに適用されるバーストコンステレーションをジョイント的に選択する手段と、
少なくとも前記測定報告に基づいて、前記少なくとも１つのデータブロックのそれぞれに適用される変調方式と符号化方式とをジョイント的に選択する手段と、
ジョイント的に選択された前記変調方式、前記符号化方式及びバーストコンステレーションに少なくとも基づいて、少なくとも１つの利用可能なチャネル上で送信するための複数のバーストについてスケジューリングする手段と
を含み、
前記少なくとも２つの測定報告を提供する手段は、
前記少なくとも１つのデータブロックを送信するためにスケジューリングされうるすべての潜在的なバーストコンステレーションのうちの一部のバーストコンステレーションについての品質の測定値を含む前記少なくとも２つの測定報告を提供するように適合した手段であることを特徴とするシステム。
【請求項１９】
無線通信システムにおけるノードと複数の移動端末との間にある通信リンクについてリンク品質を制御する装置であって、
前記ノードと前記複数の移動端末における少なくとも１つの移動端末との間で送信される少なくとも１つのデータブロックを提供する手段と、
前記少なくとも１つのデータブロックを送信するための複数の潜在的なバーストコンステレーションについての品質を表す測定値を含んだ少なくとも２つの測定報告を提供する手段と、
少なくとも前記測定報告に基づいて、前記少なくとも１つのデータブロックのそれぞれに適用されるバーストコンステレーションをジョイント的に選択する手段と、
少なくとも前記測定報告に基づいて、前記少なくとも１つのデータブロックのそれぞれに適用される変調方式と符号化方式とをジョイント的に選択する手段と、
ジョイント的に選択された前記変調方式、前記符号化方式及びバーストコンステレーションに少なくとも基づいて、少なくとも１つの利用可能なチャネル上で送信するための複数のバーストについてスケジューリングする手段と
を含み、
前記少なくとも２つの測定報告を提供する手段は、
前記少なくとも１つのデータブロックを送信するためにスケジューリングされうるすべての潜在的なバーストコンステレーションの一部についての品質の測定値を含む前記少なくとも２つの測定報告を提供するように適合した手段であることを特徴とする装置。
【請求項２０】
無線通信システムにおける基地局であって、
請求項１９に記載の装置を備えている
ことを特徴とする基地局。
【請求項２１】
前記少なくとも２つの測定報告を提供する手段は、
前記少なくとも２つの測定報告を前記複数の移動端末のそれぞれから受信するように構成された手段であり、
前記スケジューリングする手段は、前記基地局から前記複数の移動端末へ送信するためのダウンリンクについてデータブロックをスケジューリングするように構成された手段である
ことを特徴とする請求項２０に記載の基地局。
【請求項２２】
前記少なくとも２つの測定報告を提供する手段は、
前記複数の潜在的なバーストコンステレーションについての品質の測定を実行して、前記少なくとも２つの測定報告を提供するように構成された手段であり、
前記スケジューリングする手段は、
前記複数の移動端末のそれぞれに対して、選択された前記変調方式、前記符号化方式及びバーストコンステレーションにしたがって、前記移動端末から前記基地局へ送信するためのアップリンクについてデータブロックをスケジューリングするよう指示する手段である
ことを特徴とする請求項２０に記載の基地局。
【請求項２３】
無線通信システムにおけるノードと複数の移動端末との間にある通信リンクについてリンク品質を改善するための測定報告を提供する方法であって、
前記複数の移動端末のうちの１つの移動端末と前記ノードとの間で送信されるデータブロックをスケジューリングされる潜在的なバーストコンステレーションについての複数の品質測定値を測定するステップと、
前記移動端末へと送信されるデータブロックを前記測定報告に基づいてバーストへスケジューリングすることを可能ならしめるために、前記複数の品質測定値を少なくとも２つの測定報告に搭載し、該２つの測定報告を前記ノードへ報告するステップと
を含み、
前記潜在的なバーストコンステレーションは、すべての潜在的なバーストコンステレーションのうちの一部のバーストコンステレーションを含むことを特徴とする方法。
【請求項２４】
無線通信システムにおけるノードと複数の移動端末との間にある通信リンクについてリンク品質を改善する移動端末であって、
前記ノードからデータブロックを受信するための１つ以上のバーストコンステレーションについての品質の測定を実行する手段と、
前記移動端末へと送信されるデータブロックを前記測定報告に基づいてバーストへスケジューリングすることを可能ならしめるために、前記品質の測定値を少なくとも２つの測定報告に搭載し、該２つの測定報告を前記ノードへ報告する手段と
を含み、
前記測定を実行する手段は、
すべての潜在的なバーストコンステレーションのうちの一部のバーストコンステレーションについて前記品質の測定を実行するように構成された手段であることを特徴とする移動端末。
【請求項２５】
前記測定報告には、１つ以上のバーストコンステレーションについての複数の品質の測定値が含まれていることを特徴とする請求項２４に記載の移動端末。
【国際調査報告】
2009526470.tif 000011
2009526470.tif 000012
2009526470.tif 000013
2009526470.tif 000014